(57)【要約】      （修正有）【課題】ヒーター線によって加温面の面全体が均一に加熱可能な温熱治療具を提供する。【解決手段】直列接続されたヒーター線３とＰＴＣサーミスタ４が、高熱伝導性樹脂で形成される発熱板２の内部に埋設されており、発熱板は、ヒーター線への通電によって患部への加温面である表面全体が均一に加熱される。温熱治療は、被覆材が発熱板を患部に当てて被覆している状態を固定部により固定されて行われる。このとき、発熱板の温度は、ＰＴＣサーミスタの抵抗温度特性により略３７℃から４０℃の範囲の温度で保持される。またヒーター線への通電は、通電タイマー５により制御される。【選択図】図１
0003218333.tif 000002
【実用新案登録請求の範囲】
【請求項１】
高熱伝導性樹脂で形成される発熱板と、
前記発熱板を保持して患部を被覆する被覆材と、
前記発熱板に埋設されるヒーター線と、
前記ヒーター線に直列接続されて前記発熱板に埋設されるＰＴＣサーミスタと、
前記被覆材を患部に固定する固定部と、
を備える温熱治療具。
【請求項２】
前記ＰＴＣサーミスタは前記発熱板の温度が３７℃から４０℃の範囲内で発熱するよう抵抗温度特性を有することを特徴とする請求項１に温熱治療具。
【請求項３】
それぞれに前記ヒーター線と前記ＰＴＣサーミスタとが埋設された前記発熱板を複数備えて、
前記ヒーター線に電流を供給する通電ラインに、それぞれの前記発熱板の前記ヒーター線と前記ＰＴＣサーミスタとの各直列回路を並列に接続して成る請求項１又は２に記載の温熱治療具。
【請求項４】
前記ヒーター線への通電を制御する通電タイマーを備える請求項１に記載の温熱治療具。
【請求項５】
前記被覆材はタオル地の布で構成される請求項１に記載の温熱治療具。
【考案の詳細な説明】
【技術分野】
【０００１】
本考案は、通電により発熱するヒーター線を用いて加熱治療を行う温熱治療具に関する。
【背景技術】
【０００２】
温熱治療は、肩、腰、膝等の患部を加温して血液の流れを増大させて自己治癒力を高めることで、神経痛、筋肉痛等に有効な治療方法となっている。このように、身体を局部的に温めるものには、鉄粉のような被酸化性金属及び活性炭を主成分とし、空気中の酸素と接触して発熱する発熱組成物を、通気性シート体に収容させたいわゆる化学カイロが、その使用の簡便性からよく用いられてきている。
【０００３】
しかしながら、化学カイロは発熱温度にバラツキがあり、また低温火傷の虞もあるために、使用には肌着や衣服等に貼って間接的に肌に温熱を与えるような工夫が必要である。しかし、低温火傷を避けるのに発熱温度があまり上昇しないような仕様にすると、温熱効果がさほど期待できないことがある。
【０００４】
したがって、発熱温度を正確に調節できる点において、ヒーター線を使用した温熱治療具が好ましい。このような通電タイプの温熱治療具は、患部を覆う発熱パッドの全面を覆うように内部にヒーター線を蛇行して配置させ、そのヒーター線に電流を流すことにより発熱させるものが一般的である（例えば、引用文献１を参照）。
【先行技術文献】
【特許文献】
【０００５】
【特許文献１】特開２０１５−２０５１６６号公報
【考案の概要】
【考案が解決しようとする課題】
【０００６】
しかしながら、上記従来技術にあっては、ヒーター線が埋設された箇所とそれ以外の箇所で機器表面に温度差が生じるため、発熱パッドの表面全域を均一に加熱することができない。
【０００７】
上記点から本考案は、ヒーター線によって加温面の面全体が均一に加熱可能な温熱治療具を提供することを目的としている。
【課題を解決するための手段】
【０００８】
上記課題を解決するために、本考案による温熱治療具は、高熱伝導性樹脂で形成される発熱板と、前記発熱板を被覆する被覆材と、前記発熱板に埋設されるヒーター線と、前記ヒーター線に接続されて前記発熱板に埋設されるＰＴＣサーミスタと、前記ヒーター線に電流を供給する電源供給部と、を備える。
【０００９】
前記ＰＴＣサーミスタは前記ヒーター線が３７℃から４０℃の範囲内で発熱するよう抵抗値が変化する抵抗温度特性を有する。
【００１０】
或る実施形態では、それぞれに前記ヒーター線と前記ＰＴＣサーミスタとが埋設された前記発熱板を複数備えて、前記ヒーター線に電流を供給する通電ラインに、それぞれの前記発熱板の前記ヒーター線と前記ＰＴＣサーミスタとの各直列回路を並列に接続して成る。これにより、温熱治療する患部に応じて発熱板を増減できる。
【００１１】
また、前記ヒーター線への通電を制御する通電タイマーによって前記発熱板の発熱を開始から一定時間後に停止させて、長時間の加温による低温火傷が防止する。
【００１２】
前記被覆材はタオル地の布で構成することで吸汗性が良く、使用時の不快感を軽減できる。
【考案の効果】
【００１３】
本考案による温熱治療具は、高熱伝導性樹脂で形成される発熱板にヒーター線を埋設した構造であるために、発熱板の面全体で均一に患部を加温することができ治療効果が向上する。
【図面の簡単な説明】
【００１４】
【図１】本考案に係る温熱治療具の発熱板の構成図を示す。
【図２】本考案に係る温熱治療具の電気的な構成図を示す。
【図３】本考案に係る温熱治療具の使用例の説明図を示す。
【図４】本考案に係る温熱治療具の他の使用例の説明図を示す。
【図５】本考案に係る温熱治療具のさらに別の使用例の説明図を示す。
【考案を実施するための形態】
【００１５】
以下、本考案を図面に基づき具体的に説明する。図１は本考案の一実施形態に係わる温熱治療具１を示している。温熱治療具１は、面全体で患部を加温する発熱板２を備えて、発熱板２は、熱伝導性、絶縁性、難燃性に優れた樹脂、例えばポリエチレンやポリカーボネート系樹脂組成物及びその成形体で形成される。
【００１６】
発熱板２にはビニールで被覆された高抵抗導電体のヒーター線３が直列接続のＰＴＣサーミスタ４と共に埋設されている。ヒーター線３及びＰＴＣサーミスタ４の埋設は、発熱板２の射出成型時に埋め込み固定して形成されるか、或いは２枚の樹脂板の一方の表面に形成した溝にヒーター線３及びＰＴＣサーミスタ４を配置して他方の樹脂板を被せて貼り合せることで構成される。発熱板２は、外側に設けられた給電端子５に電源ラインＬから供給される電流によるヒーター線３の発熱により面全体が均一に加熱される。そして、発熱板２は、患部をスポットで温めるため外径が３乃至５ｃｍ程度の略円形の板で構成されるが、患部に応じて発熱板２を増結して広範囲に温めることができる。
【００１７】
図２は、温熱治療具１の電気的構成図を示し、電源ラインＬ１，Ｌ２には、使用可能な発熱板２の数に応じた配線コネクタ６が設けられており、発熱板２の給電端子５を配線コネクタ６に接続することで、ヒーター線３とＰＴＣサーミスタ４とは電源ラインＬ（Ｌ１，Ｌ２）間に直列接続されて、家庭用のコンセントから通電タイマー５を経て交流電源が供給される。通電でヒーター線３が発熱して発熱板２の温度が上昇し、ＰＴＣサーミスタ４が発熱板２の温度が特定の温度まで上昇したことを検知すると、ＰＴＣサーミスタ４はその抵抗が急激に増加してヒーター線３に流れる電流を小さくすることで、略１８Ｗから２０Ｗ程度に保持して、温度が３７℃から４０℃の範囲内に収まるよう設定されている。この温度は人の体温より僅かに高い温度であり、皮膚に発熱板２を当てても熱いと感じることがない。かかる構成によれば、発熱板２の表面の温度を測定し、発熱量を制御してその温度を一定にする制御装置を備える必要がない。尚、電源ラインＬ１，Ｌ２には、家庭用のコンセントに差し込まれたＡＣアダプタに発生する直流電源を供給するよう構成されてもよい。
【００１８】
このような発熱板２は、患部が広範囲であるときには、それに応じた必要な数の発熱板２の各給電端子５が電源ラインＬに接続されるよう、複数の配線コネクタ６が設けられている。そして、発熱板２の給電端子５を各配線コネクタ６に接続することで、それぞれのヒーター線３とＰＴＣサーミスタ４との直列回路を電源ラインＬに並列接続されて、複数の発熱板２で患部を温めることができる。
【００１９】
通電タイマー５は、長時間の使用による低温火傷を防止するために、動作開始後から例えば、最大でも２時間以内に通電タイマー５によって通電を遮断する。通電タイマー５は、２時間以内で通電時間を任意に設定できるようになっている。
【００２０】
温熱治療具１は、図３に示すように、発熱板２を保持して収納する収納ポケット８を有する被覆材７を備える。被覆材７には吸汗性が良いタオル地の布が好適であり、発熱板２を収容している収納ポケット８を患部に当てた状態で身体に巻き付けて装着した状態を固定するための固定部９を備える。固定部９は、例えば面ファスナーが使用でき、面ファスナーの一組のフック面とカール面とは、本例では布２の重ね合せた両側端を貼り合せて固定するように一方の側端の表側と他方の側端の裏にそれぞれ取り付けられている。固定部９は面ファスナーに限らず、ボタンとボタンホール又はスナップボタン等が種々の接合具が使用できる。
【００２１】
上記構成の温熱治療具１は、収納ポケット８が患部と当たるように巻き付けて、固定部９の面ファスナーのフック面とカール面とを貼り合せて固定する。図３は、１個の発熱板２を収納ポケット８を介して膝頭に当てて固定する場合を示している。図４は腰など広範囲に温熱治療を施すための温熱治療具１ａを示している。温熱治療具１ａの被覆材１ａに設ける収納ポケット８ａは、発熱板２を複数収容可能なよう細長形状を有しており、発熱板２がずれて重なったりするのを防止するために、収納ポケット８ａには仕切りが設けられている。
【００２２】
図５は発熱板２を左右のこめかみ及び両目に当てることで、身体のリラックス効果を引き出す温熱治療具１ｂを示している。この温熱治療具１ｂでの被覆材７ｂは両側のこめかみとそれぞれ対向する左右一組の収納ポケット８１と両目とそれぞれ対向する左右一組の収納ポケット８２が設けられている。温熱治療具１ｂは、被覆材７ｂが発熱板２を収容している各一組の収納ポケット８１，８２がそれぞれ両こめかみと目とに接する状態で固定部９にて固定される。収納ポケット８１，８２に保持された発熱板２の発熱によって、両目及びこめかみの周辺を温めることで筋肉が弛緩して血行が良くなりリラックスできると共に、疲れ目や眼精疲労等の効果もある。この場合、使用者はリラックスできることから睡眠状態に陥りやすいため、通電タイマー１０による通電時間は最大でも３０分以内が好ましい。眠りに入るときには体温が徐々に下がり、リラックスできる副交感神経が交感神経より優位な状態となる。したがって、発熱板２が温かいままであると、交感神経が再び優位となってリラックス状態が維持できなくなる。そこで、３０分以内の通電の遮断により、副交感神経が優位な状態を保持してリラックス状態に維持する。
【符号の説明】
【００２３】
１、１ａ、１ｂ      温熱治療具
２      発熱板
３            ヒーター線
４      ＰＴＣサーモスタット
５      通電タイマー
７、７ａ、７ｂ      被覆材
８、８ａ、８１、８２      収納ポケット
９      面ファスナー（固定部）
【図１】
0003218333.tif 000003
【図２】
0003218333.tif 000004
【図３】
0003218333.tif 000005
【図４】
0003218333.tif 000006
【図５】
0003218333.tif 000007